(57)【要約】      （修正有）【課題】従来に比してダートの場合の針掛かりを向上させることができるジグヘッドを提供する。【解決手段】ジグヘッド１は、ヘッド２と、装着部３と、釣り針部４とを有する。ヘッド２は、鉛、タングステン、錫等の金属製である。装着部３は、ヘッド２から後方に突設され、軟質ルアーを装着するために用いられる。釣り針部４は、ヘッド２の前端、つまり装着部３と反対側に設けられる。また、釣り針部４は、ヘッド２の前端から延びる紐部４１と、紐部４１の先端に取り付けられた釣り針４２とを有する。【選択図】図１
2017184720.tif 000002
【特許請求の範囲】
【請求項１】
金属製のヘッドと、
前記ヘッドから突設され、軟質ルアーを装着するための装着部と、
前記ヘッドに設けられた釣り針部と
を備え、
前記釣り針部は、前記ヘッドから延びる紐部と、前記紐部の先端に取り付けられた釣り針とを有し、
前記紐部の長さは、前記釣り針の針先が前記装着部の先端に届かないように設定される、
ジグヘッド。
【請求項２】
前記紐部は、前記ヘッドの前記装着部と反対側から延びている、
請求項１に記載のジグヘッド。
【請求項３】
前記ヘッドは、前記装着部側から前記反対側へと貫通する貫通孔を有し、
前記紐部は、前記貫通孔を通ってその基端が前記ヘッドの前記装着部側から延出し、前記基端が前記ヘッドの前記装着部側において係止されている、
請求項２に記載のジグヘッド。
【請求項４】
前記紐部は、前記基端が前記装着部に係止されている、
請求項３に記載のジグヘッド。
【請求項５】
前記装着部に釣り針が設けられていない、
請求項１乃至４の何れかに記載のジグヘッド。
【請求項６】
前記装着部は、前記ヘッドから直線状に延びた棒状をなしている、
請求項１乃至５の何れかに記載のジグヘッド。
【請求項７】
前記装着部は、その側面に凸部を有する、
請求項６に記載のジグヘッド。
【請求項８】
前記装着部は、その先端側に直線状の針部を有する、
請求項６又は７に記載のジグヘッド。
【請求項９】
前記装着部は、先端に向かって細くなるテーパ部を有する、
請求項６乃至８の何れかに記載のジグヘッド。
【請求項１０】
前記紐部の長さは、前記釣り針の針先が前記ヘッドにおける前記装着部側の端部に届かないように設定される、
請求項１乃至９の何れかに記載のジグヘッド。
【請求項１１】
前記装着部の太さは、前記ヘッドの太さの１／５以上１／２以下である、
請求項１乃至１０の何れかに記載のジグヘッド。
【請求項１２】
前記装着部の長さは、ヘッドの長さ以下であり、且つ、ヘッドの長さの１／３以上である、
請求項１乃至１１の何れかに記載のジグヘッド。
【発明の詳細な説明】
【技術分野】
【０００１】
本発明は、軟質素材により構成された軟質ルアーを装着するためのジグヘッドに関する。
【背景技術】
【０００２】
従来のジグヘッドは、錘として機能する鉛製のヘッドに、Ｊ字状に湾曲した釣り針の軸部基端側が固着されて構成されている（例えば、特許文献１参照）。図１３は、従来のジグヘッドの一例を示す側面図である。図１３に示すように、このような従来のジグヘッドに軟質ルアーを装着する場合、細長い軟質ルアーの長手方向に沿って釣り針の直線状の軸部を貫通させ、湾曲した針先を軟質ルアーの側面から突出させる。かかるジグヘッドは、ヘッドにラインが結束され、ラインが引かれることでヘッド側を前、針側を後にして水中で進行する。
【先行技術文献】
【特許文献】
【０００３】
【特許文献１】特開２００１−０４５９１８号公報
【発明の概要】
【発明が解決しようとする課題】
【０００４】
ところで、ルアーのアクションの１つにダートがある。ダートとは、水中でルアーが左右に不規則に移動するアクションであり、ロッドを大きくあおるジャーキング、ロッドの先を小刻みに前後に動かすトゥイッチング等のロッドワークによって生じる。一定速度でリールを巻くステディーリトリーブでは、ルアーはラインが引かれる方向に直線的に移動する。この場合、魚は進行するルアーを後方から追い、後側からルアーの胴体部に食いつく。これに対して、ダートではルアーの進行方向が急激に変化するため、この変化の前後に魚が反応してルアーの頭部側から食いつくことが多い。上述したような従来のジグヘッドは、軟質ルアー、つまりルアーの胴体部に釣り針が設けられる。また、釣り針の針先は前方を向いている。このような構成は、後側からルアーの胴体部に食いついた魚を針掛けするのに適しているが、ルアーの頭部に食いついた魚を針掛けするのには適していない。このため、従来のジグヘッドでは、ダートの場合に針掛かりが十分でないことが多く、アタリはあっても魚が針に掛からない。また、魚が針に掛かったとしてもその掛かりが浅く、バラシが多発するという問題がある。
【０００５】
本発明は斯かる事情に鑑みてなされたものであり、その主たる目的は、従来に比してダートの場合の針掛かりを向上させることができるジグヘッドを提供することにある。
【課題を解決するための手段】
【０００６】
上述した課題を解決するために、本発明の一の態様のジグヘッドは、金属製のヘッドと、前記ヘッドから突設され、軟質ルアーを装着するための装着部と、前記ヘッドに設けられた釣り針部とを備え、前記釣り針部は、前記ヘッドから延びる紐部と、前記紐部の先端に取り付けられた釣り針とを有し、前記紐部の長さは、前記釣り針の針先が前記装着部の先端に届かないように設定される。
【０００７】
この態様において、前記紐部は、前記ヘッドの前記装着部と反対側から延びていてもよい。
【０００８】
上記態様において、前記ヘッドは、前記装着部側から前記反対側へと貫通する貫通孔を有し、前記紐部は、前記貫通孔を通ってその基端が前記ヘッドの前記装着部側から延出し、前記基端が前記ヘッドの前記装着部側において係止されていてもよい。
【０００９】
上記態様において、前記紐部は、前記基端が前記装着部に係止されていてもよい。
【００１０】
上記態様において、前記ジグヘッドは、前記装着部に釣り針が設けられていなくてもよい。
【００１１】
上記態様において、前記装着部は、前記ヘッドから直線状に延びた棒状をなしていてもよい。
【００１２】
上記態様において、前記装着部は、その側面に凸部を有してもよい。
【００１３】
上記態様において、前記装着部は、その先端側に直線状の針部を有してもよい。
【００１４】
上記態様において、前記装着部は、先端に向かって細くなるテーパ部を有してもよい。
【００１５】
上記態様において、前記紐部の長さは、前記釣り針の針先が前記ヘッドにおける前記装着部側の端部に届かないように設定されてもよい。
【００１６】
上記態様において、前記装着部の太さは、前記ヘッドの太さの１／５以上１／２以下であってもよい。
【００１７】
上記態様において、前記装着部の長さは、ヘッドの長さ以下であり、且つ、ヘッドの長さの１／３以上であってもよい。
【発明の効果】
【００１８】
本発明に係るジグヘッドによれば、従来に比してダートの場合の針掛かりを向上させることができる。
【図面の簡単な説明】
【００１９】
【図１】実施の形態１に係るジグヘッドの構成を示す斜視図。
【図２】実施の形態１に係るジグヘッドの構成を示す平面図。
【図３】実施の形態１に係るジグヘッドの構成を示す側面図。
【図４】軟質ルアーを装着したときのジグヘッドを示す斜視図。
【図５】軟質ルアーを装着したときのジグヘッドを示す平面断面図。
【図６】軟質ルアーを装着したときのジグヘッドを示す側面断面図。
【図７】実施の形態１に係るジグヘッドに装着された軟質ルアーの可動域を説明するための平面図。
【図８】実施の形態１に係るジグヘッドにおける各部の長さを説明するための側面図。
【図９】実施の形態２に係るジグヘッドの構成を示す平面図。
【図１０】実施の形態２に係るジグヘッドの構成を示す側面図。
【図１１】実施の形態２に係るジグヘッドの構成を示す側面断面図。
【図１２】紐部の係止構造の他の例を説明するためのジグヘッドの側面断面図。
【図１３】従来のジグヘッドの一例を示す側面図。
【発明を実施するための形態】
【００２０】
以下、本発明の好ましい実施の形態を、図面を参照しながら説明する。
【００２１】
（実施の形態１）
図１は、本実施の形態に係るジグヘッドの構成を示す斜視図であり、図２は、その平面図であり、図３は、その側面図である。なお、図中において、矢印により方向を示している。軟質ルアーが装着されたジグヘッドの水中での進行方向を「前方」、進行方向とは逆方向を「後方」とする。また、ジグヘッドの頭頂側（ルアーの背側）を「上側」、ジグヘッドのあご側（ルアーの腹側）を「下側」とする。また、ジグヘッドの進行方向に向かって右側を「右側」、左側を「左側」とする。
【００２２】
図１乃至３に示すように、ジグヘッド１は、ヘッド２と、装着部３と、釣り針部４とを備える。
【００２３】
ヘッド２は、鉛、タングステン、錫等の金属によって構成されており、錘として機能する。かかるヘッド２は、前側が尖った概略円錐型又は砲弾型をなしている。このように先端が尖ったヘッド２の形状は、ジャーキング又はトウィッチングのロッドワークに応じてジグヘッドの進行方向を変化させやすい。このため、上記形状により容易にダートアクションを生じさせることができる。
【００２４】
また、ヘッド２の上側の左右は窪んでおり、両方の窪みの間は、前後方向に長く上方に立ち上がる板状部２１となっている。この板状部２１が設けられていることで、ジグヘッド１の水中における直進性が向上する。
【００２５】
なお、ヘッド２の形状は上記のようなものに限られない。例えば、ヘッド２の上側左右の窪みが設けられていなくてもよい。また、角錐型、球形、魚の頭部を模した形状等であってもよい。
【００２６】
また、板状部２１の上端には、上方に突出するようにラインアイ２２が設けられている。ラインアイ２２は、ラインを連結するための金属製のリング状部材である。
【００２７】
次に、装着部３について説明する。ヘッド２の後端は鉛直面である装着面２３となっており、この装着面２３の中央部から後方へ装着部３が延設されている。装着部３は、前後方向に直線状に延びる断面円形の棒状をなしており、前後方向の複数箇所にはリング状の凸部３１が設けられている。また、装着部３の先端側には、後方に向かうにしたがって細くなるように形成されたテーパ部３２が設けられている。さらに、このテーパ部３２の先端からは、直線状の針部３３が後方に延びている。針部３３は、ステンレス鋼等の硬度の高い材料によって構成される。装着部３のその他の部分は、ヘッド２と同一の材料によって構成され、鋳造によりヘッド２と一体成形されている。
【００２８】
図４は、軟質ルアーを装着したときのジグヘッド１を示す斜視図であり、図５は、その平面断面図であり、図６は、その側面断面図である。図４乃至図６に示すように、ユーザは、前後方向に長い軟質ルアー５の前端に装着部３を挿入することで、ジグヘッド１に軟質ルアー５を装着する。軟質ルアー５の前端面が装着面２３と密着して又は若干の空間を隔てて対向するように、軟質ルアー５がジグヘッド１に装着される。なお、軟質ルアーは、軟質合成樹脂、天然ゴム等の軟質素材を、魚、環形動物（ミミズ、ゴカイ等）等の胴体を模した細長い形状に形成したものを用いる。ザリガニ、エビ、カエル等の細長くない動物を模した軟質ルアーを用いることもできるが、細長い形状の方がダートのアクションを出しやすい。
【００２９】
軟質ルアー５をジグヘッド１に装着するとき、ユーザは軟質ルアー５の前端面から装着部３を挿入する。このとき、細い針部３３が装着部３の先端に設けられているため、軟質ルアー５に針部３３を突き刺すことで、軟質ルアー５の前端面に小孔（裂け目）を形成できる。軟質ルアー５に装着部３をさらに深く挿入すると、テーパ部３２がこの小孔を押し広げる。テーパ部３２は先端が細いため、小孔に無理なく挿入できる。装着部３の概ね全体が軟質ルアー５に挿入されることで、軟質ルアー５の装着が完了する。
【００３０】
上記のように、装着部３が直線状に延びた棒状であるため、ユーザは軟質ルアー５に対して装着部３を真っ直ぐに挿入するだけで、容易に軟質ルアー５をジグヘッド１に装着できる。また、装着部３の側面には凸部３１が設けられているので、この凸部３１に軟質ルアー５が係止され、装着部３から軟質ルアー５が脱落することを防止できる。
【００３１】
また、装着部３が細すぎると、軟質ルアー５を係止する力が弱く、軟質ルアー５が脱落しやすくなる。このため、装着部３はある程度の太さを有することが好ましい。装着部３が十分な太さを有していると、装着された軟質ルアー５がその弾性によって装着部３を締め付けるように保持し、十分な力によって係止される。その一方で、装着部３が太すぎると、軟質ルアー５の装着が容易ではなくなってしまう。よって、装着部３の太さは、軟質ルアー５を係止する力および軟質ルアー５の装着性を考慮して決定する。かかる観点により、装着部３の太さ（最も太い部分の高さ）は、ヘッド２の太さ（最も太い部分の高さ）の１／５以上１／２以下とすることが好ましく、１／４以上１／２以下とすることがより好ましい。
【００３２】
図７は、本実施の形態に係るジグヘッド１に装着された軟質ルアー５の可動域を説明するための平面図である。軟質ルアー５の前側の装着部３が挿入された範囲は変形しない。つまり、図７に示すように、軟質ルアー５において、装着部３よりも後側の部分が可動域となる。このように、装着部３の長さに応じて軟質ルアー５の可動域が決まる。
【００３３】
軟質ルアー５は、可動域が大きいほど魚等に似た自然なアクションが可能となる。このため、装着部３の長さは短いことが好ましい。その一方で、装着部３の長さが短すぎると、軟質ルアー５を十分な力で係止できず、軟質ルアー５が脱落しやすくなってしまう。よって、装着部３の長さは、軟質ルアー５の可動域および軟質ルアー５を係止する力を考慮して決定する。かかる観点により、装着部３の長さは、ヘッド２の長さ以下であり、且つ、ヘッド２の長さの１／３以上とすることが好ましい。
【００３４】
再び図１乃至図３を参照し、釣り針部４について説明する。釣り針部４は、紐部４１と、釣り針４２とを含む。紐部４１は、アラミド繊維等からなる編み込み糸であり、ヘッド２の前端から延びている。つまり、釣り針部４は、ヘッド２の装着部３と反対側に設けられている。さらに具体的に説明すると、紐部４１はその基端側の部分がヘッド２の内部に埋め込まれることでヘッド２に固着されている。これは、ヘッド２を鋳造する際に、紐部４１の基端側の一部（以下、「埋め込み部」という）を鋳型の内部に入れた状態で溶湯を当該鋳型に流し込み、これを冷却して固化させることで実現される。埋め込み部には、結び目が設けられ、又は小さな金属片がカシメによって取り付けられる。このようにして埋め込み部に紐の太さよりも大きい部分を設け、かかる埋め込み部をヘッド２と一体に鋳込むことで、ヘッド２からの紐部４１の抜けを防止できる。
【００３５】
また、釣り針４２は、一本の金属製の線状部材がＪ字状に湾曲されて形成されたシングルフックである。釣り針４２の軸部には紐部４１の先端が結束されており、これにより釣り針４２がヘッド２に接続されている。紐部４１が柔軟であるため、釣り針４２は紐部４１の長さで規定される範囲内で、ヘッド２に対して自由に移動可能である。
【００３６】
ここで、紐部４１の長さは、釣り針４２の針先が装着部３の先端（後端）に届かないように設定されることが好ましい。図８は、本実施形態に係るジグヘッドにおける各部の長さを説明するための側面図である。本実施形態では、紐部４１の基端（ヘッド２の先端）と釣り針４２の針先との間の距離Ｌ１を、紐部４１の基端と装着部３の先端との間の距離Ｌ２よりも短くすると、釣り針４２の針先が装着部３の先端に届かない。なお、ここでいう距離Ｌ１は、紐部４１が弛み無く伸びた状態で、紐部４１の基端と釣り針部４２の針先とが前後方向に延びる直線上に位置したときの距離のことである。
【００３７】
上述したように、ジグヘッド１に装着された軟質ルアー５は、装着部３の後側部分において変形可能である。このため、釣り針４２の針先が装着部３よりも後方まで移動可能であると、軟質ルアー５の可動域に突き刺さり、軟質ルアー５の動作を阻害することがある。上記のように距離Ｌ１を設定することで、釣り針４２の針先が装着部３よりも後方に移動することが無く、軟質ルアー５の動作を阻害しない。
【００３８】
また、釣り針４２の針先が軟質ルアー５に届くと、釣り針４２が軟質ルアー５に突き刺さることがある。軟質ルアー５に釣り針４２が突き刺さった状態では、魚が食いついたとしても釣り針４２を魚に掛けることができない。このため、紐部４１の長さを、釣り針４２の針先がヘッド２の後端に届かないように設定することがさらに好ましい。このようにすることで、釣り針４２の針先が軟質ルアー５に届くことがなくなる。本実施形態では、距離Ｌ１を、ヘッド２の前後方向の長さ（紐部４１の基端と装着部３の基端との間の距離）Ｌ３よりも短くすれば、釣り針４２の針先がヘッド２の後端よりも後方まで移動できず、軟質ルアー５に届かない。
【００３９】
かかるジグヘッド１を使用する場合、ユーザはジグヘッド１に装着した軟質ルアー５を水中にキャストし、ダートアクションを起こすようにロッドを操作する。ダートが発生すると、ルアーの進行方向の変化の前後において、この動きに魚が刺激されてルアーの頭部側（ジグヘッド１）に食いつく。ジグヘッド１にはヘッド２の前端に釣り針部４が設けられているので、ルアーの頭部に食いついた魚が釣り針４２を飲み込みやすい。また、釣り針部４には紐部４１が設けられており、釣り針４２が紐部４１の長さによって規定される範囲を移動できるので、魚が前側からルアーに食いついた場合だけでなく、上、下、又は横方向からルアーの頭部に食いついた場合でも、魚が釣り針４２を飲み込みやすい。このため、針掛かりが向上する。
【００４０】
（実施の形態２）
図９は、本実施の形態２に係るジグヘッドの構成を示す平面図であり、図１０は、その側面図であり、図１１は、その側面断面図である。本実施の形態に係るジグヘッド２０１のヘッド２２０には、前側から後側へと貫通する直線状の貫通孔２２１が設けられている。この貫通孔２２１は、紐部２４１が通る程度の太さを有している。かかる貫通孔２２１の後側の開口は、装着面２３において装着部３の下側に設けられている。
【００４１】
紐部２４１は、アラミド繊維からなる編み込み糸、つまりマルチフィラメントの糸である。なお、紐部４１は、ポリエチレン繊維等のアラミド繊維以外の繊維を編み込んだマルチフィラメントの糸であってもよいし、ナイロン、フロロカーボン、ポリエステル等によって構成されたモノフィラメントの糸であってもよい。かかる紐部２４１は、一本の紐の両端が釣り針４２に結着され、環状に構成されている。この紐部２４１は、貫通孔２２１に通され、その基端（釣り針４２の反対側の端）２４２がヘッド２２０の装着面２３から延出される。環状の紐部２４１が装着部３に掛けられるようにして、紐部２４１の基端２４２が装着部３に係止されている。これにより、紐部２４１が前方に抜けることが防止される。また、ヘッド２２０を鋳造する際に紐部２４１を埋め込む必要がないため、製造上の作業が軽減され、紐部２４１が熱によって損傷したり焼け切れたりすることがない。このため、紐部２４１に、ナイロン等の耐熱性の低い素材の糸を使用できる。製造されたヘッド２２０の貫通孔２２１に紐部２４１を通し、紐部２４１の基端２４２を装着部３に掛けるだけで、釣り針部２４０をヘッド２２０に容易に装着できる。
【００４２】
本実施の形態に係るジグヘッド２０１のその他の構成については、実施の形態１に係るジグヘッド１の構成と同様であるので、同一構成要素については同一符号を付し、その説明を省略する。
【００４３】
（その他の実施の形態）
上記の実施の形態１及び２においては、釣り針４２をシングルフックとしたが、これに限定されるものではない。Ｊ字状に湾曲した２つの釣り針の軸部が繋がったダブルフック、３つの釣り針の軸部が接合されたトレブルフックなど、２以上の釣り針の軸部が接続された構成の釣り針としてもよい。
【００４４】
また、上記の実施の形態１及び２においては、直線状に延びた装着部３をヘッド２，２２０の後側に設ける構成について述べたが、これに限定されるものではない。ヘッド２，２２０の後部に、Ｊ字状に湾曲した釣り針を設け、これを装着部とすることもできる。
【００４５】
また、上記の実施の形態１及び２においては、装着部３の断面形状を円形とする構成について述べたが、これに限定されるものではない。装着部３の断面形状を三角形、四角形等の多角形とすることもできる。
【００４６】
また、上記の実施の形態２においては、環状の紐部２４１を装着部３に掛けることで、紐部２４１の基端２４２をヘッド２２０の後側において係止する構成について述べたが、これに限定されるものではない。図１２は、紐部の係止構造の他の例を説明するためのジグヘッドの側面断面図である。紐部の基端を、貫通孔の太さよりも大きくすることにより、紐部の基端をヘッドの後側において係止する構成とすることもできる。図１２に示す例では、紐部３４１の基端に、係止片３４３を固着している。この係止片３４３の大きさは、貫通孔２２１の太さよりも大きく、係止片３４３が貫通孔２２１を通ることはない。また、係止片３４３に代えて、紐部３４１の基端に結び目を設けることもできる。
【産業上の利用可能性】
【００４７】
本発明のジグヘッドは、軟質素材により構成された軟質ルアーを装着するためのジグヘッドとして有用である。
【符号の説明】
【００４８】
１  ジグヘッド
２  ヘッド
２１  板状部
２２  ラインアイ
２３  装着面
３  装着部
３１  凸部
３２  テーパ部
３３  針部
４  釣り針部
４１  紐部
４２  釣り針
５  軟質ルアー
【図１】
2017184720.tif 000003
【図２】
2017184720.tif 000004
【図３】
2017184720.tif 000005
【図４】
2017184720.tif 000006
【図５】
2017184720.tif 000007
【図６】
2017184720.tif 000008
【図７】
2017184720.tif 000009
【図８】
2017184720.tif 000010
【図９】
2017184720.tif 000011
【図１０】
2017184720.tif 000012
【図１１】
2017184720.tif 000013
【図１２】
2017184720.tif 000014
【図１３】
2017184720.tif 000015